(57)【要約】【課題】  スピーカ配置及び球皿のデザイン設計の自由度を向上させた遊技機を提供。【解決手段】  球受け部１３は、球受け部１３の構成要素を支持する皿枠ベース４０と、遊技機からの賞品球を受ける第１球受け部材５０と、第１球受け部材５０から排出される遊技球を受ける第２球受け部材７０と、第１球受け部材５０及び第２球受け部材７０の前面の輪郭を形成する第１輪郭部材９０とから構成されている。そして、第１球受け部材５０は皿枠ベース４０の前面に取り付けられる。更に第１輪郭部材９０は、第１球受け部材５０を覆うように皿枠ベース４０の前面に取り付けられる。また、第２球受け部材７０は、第１輪郭部材９０内において第１球受け部材５０の下方に形成された第２球受け取付領域９０ｂに取り付けられる。即ち、第１球受け部材５０，第２球受け部材７０及び第１輪郭部材９０は、これらが一体に移動可能となるように皿枠ベース４０に支持される。【選択図】図３
2006025927.tif 000002
【特許請求の範囲】
【請求項１】
遊技球を貯留する球皿と、
遊技に連動して音声を出力するスピーカと、を備える遊技機であって、
前記球皿は、
当該遊技機から賞品として払い出される遊技球を受ける第１球受部と、
前記第１球受部から排出される遊技球を受ける第２球受部と、
前記第１球受部及び前記第２球受部の前面を覆うカバー部と、
前記第１球受部、前記第２球受部及び前記カバー部を支持する球受支持部とを備え、
当該遊技機に対して前記球受支持部は、前記第１球受部、前記第２球受部及び前記カバー部が分離切断することなく一体に開閉可能とし、且つ前記スピーカが球受支持部の投影面内に配置されていることを特徴とする遊技機。
【請求項２】
前記第１球受部に貯留された遊技球を前記第１球受部から抜き取る球抜き口と、
前記球抜き口から抜き取られた遊技球を前記第２球受部へ供給する球抜通路と、を備え、
前記球抜通路は、前記第１球受部と一体に連結される、
ことを特徴とする請求項１に記載の遊技機。
【請求項３】
前記第１球受部は前記第２球受部の上方に配置され、
前記スピーカは、音声出力口が前記第１球受部と前記第２球受部との間に位置するように配置され、
前記音声出力口の前面を避けて配置され、前記第１球受部から溢れ出た遊技球を前記第２球受部へ供給する排出通路を備える、
ことを特徴とする請求項２に記載の遊技機。
【請求項４】
前記球抜通路は、前記音声出力口の前面を横切って配置され、
前記球抜通路の側壁において、前記音声出力口の前面を横切っている部分には、音声を通す放音口が設けられる、
ことを特徴とする請求項３に記載の遊技機。
【発明の詳細な説明】
【技術分野】
【０００１】
本発明は、遊技媒体を用いて遊技者に遊技を提供する遊技機に関する。
【背景技術】
【０００２】
図１０は、従来のパチンコ機を示す正面図である。遊技機の一種であるパチンコ機においては、図１０に示すように、遊技者が遊技領域へ遊技球を所望の強度で発射調整するためのハンドル３０３と、回転可能な灰皿３０５と、パチンコ機３０１から賞品として払い出される遊技球（賞品球）を貯留する上受け皿３１１と、上受け皿３１１から排出される遊技球を受ける下受け皿３１３と、パチンコ機３０１に対して開閉可能に上受け皿３１１を支持する上皿枠３２１と、上受け皿３１１の下方において下受け皿３１３を支持する下皿枠３２３とが設けられている。
【０００３】
また、上受け皿３１１または下受け皿３１３の周囲には、一般的に、パチンコ機３０１での遊技に連動して音声を出力するスピーカが設けられている（例えば、特許文献１参照。）。
【特許文献１】特開２００２−１７２２１７号公報  （第３図）
【発明の開示】
【発明が解決しようとする課題】
【０００４】
上記従来遊技機のように、上受け皿３１１が開閉可能となっている場合、上受け皿３１１と下受け皿３１３との間の、ある箇所（以降、分離箇所と称す）で分離される構成となっている。
【０００５】
通常、上皿枠３２１及び下皿枠３２３の周縁部は、開閉のための補強用に、内部よりも板厚が厚くなるように構成されるか、強度の強い材料で構成されている。このため、図１０に示すように、上皿枠３２１と下皿枠３２３の裏側において、上皿枠３２１と下皿枠３２３とに跨る領域（領域Ｒ１参照）にスピーカを配置すると、上記周縁部により、スピーカから出力される音が遮られてしまうため、効率よく、遊技者にスピーカ音を聞かせることが困難になるという問題があった。
【０００６】
即ち、このように上受け皿３１１が分離して開閉可能なように構成すると、スピーカは、上皿枠３２１と下皿枠３２３とに跨っていない領域（例えば、領域Ｒ２，領域Ｒ３，領域Ｒ４，領域Ｒ５参照）に配置させなければならない。
【０００７】
また同様に、上皿枠３２１と下皿枠３２３の裏側において、上皿枠３２１と下皿枠３２３とに跨る領域（領域Ｒ１参照）にスピーカを配置すると、故障したスピーカを交換する場合に上皿枠３２１を開放するだけではスピーカを容易に取り出せないという問題があった。
【０００８】
即ち、このように上受け皿３１１が分離して開閉可能なように構成すると、スピーカは、上皿枠３２１側の上皿枠３２１と下皿枠３２３とに跨っていない領域（例えば、領域Ｒ３，領域Ｒ５参照）に配置させなければならない。
【０００９】
また、現在のパチンコ機は、サラウンド性が重視され高音から低音まで広い音域を出力可能なスピーカが採用されている。特にスピーカは構造上大きいものを採用すればする程臨場感の出るものが多いが、その反面振動も大きくなってしまう。このため、遊技機上に振動の大きいスピーカを配置してしまうと、その振動で遊技盤面上の遊技球の入賞経路に影響を及ぼすので採用することが難しく、更に上述したように上受け皿３１１が開閉式になっていると、跨っていない領域（領域Ｒ２，領域Ｒ３，領域Ｒ４，領域Ｒ５）に配置せざるを得なくなり、パチンコ機におけるサラウンド性の充実（特に低音用のスピーカ）が非常に難しいという問題があった。
【００１０】
すなわち、スピーカの音質向上や（スピーカの大きさ）、スピーカの配置の自由度が制限されるという問題があった。
また、このようにスピーカの配置が制限されることにより、上受け皿３１１及び下受け皿３１３のデザインの自由度が制限されるという問題があった。
【００１１】
本発明はこうした問題に鑑みなされたものであり、スピーカ音質向上、配置、デザイン設計の自由度を向上させた遊技機を提供することを目的とする。
【課題を解決するための手段】
【００１２】
上記目的を達成するためになされた本発明の遊技機は、遊技球を貯留する球皿と、遊技に連動して音声を出力するスピーカと、を備える遊技機であって、球皿は、当該遊技機から賞品として払い出される遊技球を受ける第１球受部と、第１球受部から排出される遊技球を受ける第２球受部と、第１球受部及び第２球受部の前面を覆うカバー部と、第１球受部、第２球受部及びカバー部を支持する球受支持部とを備え、当該遊技機に対して球受支持部は、第１球受部、第２球受部及びカバー部が分離切断することなく一体に開閉可能とし、且つスピーカが球受支持部の投影面内に配置されていることを特徴とする。
【００１３】
このように構成された遊技機においては、球受支持部が遊技機に対して開閉されると、球受支持部の開閉に応じて、第１球受部，第２球受部及びカバー部が一体となって移動する。このため、第１球受部と第２球受部との間の位置で球受支持部を分割する必要がない。即ち、球受支持部において、第１球受部と第２球受部との間の位置に補強を施す必要がない。
【００１４】
このため、当該遊技機における遊技に連動して音声を出力するスピーカを第１球受部と第２球受部との間に広範囲にわたって、自由にスピーカを配置することができる。
例えば、球受支持部の投影面内に配置する際に、第１球受部と第２球受部との間に大型の重低音スピーカを配置しても、上記の補強をされた部分が、スピーカの音声出力口の前面を横切ることがないため、スピーカ音を遊技者に効率よく聞かせることができる。
【００１５】
また、第１球受部，第２球受部が一体となって開閉されるため、スピーカを第１球受部と第２球受部との間に配置した場合において、スピーカが故障した際にこのスピーカを容易に取り出すことができる。
【００１６】
即ち、第１球受部と第２球受部との間に分離箇所がない構成である為、スピーカを第１球受部と第２球受部との間に広範囲にわたって配置の自由度を向上させることができるとともに、スピーカから出力される音質を低下させることなく提供することができる。更に、スピーカ配置の自由度が向上した分、カバー部のデザイン設計の自由度を向上させることができる。
【００１７】
ところで、第２球受部とは独立に、遊技機に対して開閉可能に構成された第１球受部を備える従来の遊技機において、第１球受部から抜き取られた遊技球を第２球受部へ供給する球抜通路を、第１球受部が開放された場合には、第１球受部と第２球受部の間の分離箇所で分離する必要がある。このため、第１球受部が遊技機に対して閉鎖された場合には、球抜通路はこの分離箇所においてズレが生じることがあった。即ち、球抜通路を通過する遊技球が分離箇所で球詰まりを起こしてしまっていた。
【００１８】
これに対して本発明の遊技機は、第１球受部及び第２球受部が一体に移動可能であるため、第１球受部に貯留された遊技球を第１球受部から抜き取る球抜き口と、球抜き口から抜き取られた遊技球を第２球受部へ供給する球抜通路とを備える場合には、球抜通路は、第１球受部と一体に連結されるようにするとよい。
【００１９】
このように構成された遊技機では、第１球受部と第２球受部の間での任意の箇所で球抜通路を分離する必要がないため、球抜通路内で通路のズレが生じることがない。即ち、球抜通路内における球詰まりの発生を抑制することができる。
【００２０】
また、本発明の遊技機において、第１球受部は第２球受部の上方に配置されており、更に、スピーカは、音声出力口が第１球受部と第２球受部との間に位置するように配置される場合には、音声出力口の前面を避けて配置され、第１球受部から溢れ出た遊技球を第２球受部へ供給する排出通路を備えるようにするとよい。
【００２１】
このように構成された遊技機では、排出通路が音声出力口の前面を避けて配置されているため、遊技球が排出通路を通過する際に、排出通路の内壁に遊技球が衝突して発生する衝突音によって、音声出力口から出力される音声がかき消されることを抑制することができる。
【００２２】
ところで、球抜通路は、遊技者が遊技機での遊技を終了する際に第１球受部に貯留された遊技球を抜き取るために利用されるものである。また、スピーカは、遊技に連動して音声を出力するものである。
【００２３】
即ち、遊技球が球抜通路を通過する際に、スピーカが音声を出力することはない。このため、球抜通路が音声出力口の前面を横切って配置されるようにしても、遊技球が球抜通路を通過する際に発生する衝突音によって、音声出力口から出力される音声がかき消されるという問題は発生しない。
【００２４】
しかし、球抜通路が音声出力口の前面を横切って配置されていると、音声出力口から出力される音声が球抜通路により遮られてしまう虞がある。
そこで、球抜通路が音声出力口の前面を横切って配置されている場合には、球抜通路の側壁において、音声出力口の前面を横切っている部分には、音声を通す放音口を設けることが望ましい。
【００２５】
このように構成された遊技機によれば、放音口が設けられている部分では、音声出力口から出力される音声がこの放音口を通って、遊技機の外部に放出されるため、音声出力口から出力される音声が球抜通路により遮られてしまうことを抑制することができる。
【発明を実施するための最良の形態】
【００２６】
以下に本発明の実施の形態について、図面を参照しながら説明する。
図１は、遊技機１の正面図である。
遊技機１は、図１に示すように、当該遊技機１の筐体である外枠３と、開閉自在に外枠３に取り付けられた遊技盤収納枠５とを備えている。そして、遊技盤収納枠５には、遊技者に遊技を提供する遊技盤７と、遊技盤７を覆うように取り付けられ、遊技盤収納枠５に対して開閉可能なガラス扉９と、遊技盤７上に遊技球を発射するためのハンドル１１と、遊技者が遊技をするための遊技球を貯留する球受け部１３とが設けられている。
【００２７】
また、球受け部１３は、遊技盤７における遊技の結果として当該遊技機１から賞品として払い出される遊技球（賞品球）を貯留する第１球受部１３ａと、第１球受部１３ａに遊技球が充満し、溢れた場合その溢れた遊技球を貯留する第２球受部１３ｂと、第１球受部１３ａと第２球受部１３ｂとが一体に形成されると共に一括開閉可能な皿枠１３ｃとから構成されている。
【００２８】
図２は、遊技盤収納枠５の斜視図である。
遊技盤収納枠５は、当該遊技盤収納枠５を構成する枠部材によって、図２に示すように、遊技盤７を収納する遊技盤収納領域５ａを形成している。更に、遊技盤収納領域５ａの下方に、遊技機１での遊技に連動して音声を出力するスピーカ２１と、スピーカ２１の音声出力口２１ａを覆うスピーカカバー２３が設けられている。また、遊技盤収納枠５には、遊技機１の正面から見て左側に、球受け部１３を遊技盤収納枠５に対して開閉可能に軸支する皿枠開閉軸２５が設けられている。
【００２９】
図３は、球受け部１３を分解した斜視図である。
球受け部１３は、図３に示すように、球受け部１３の構成要素を支持する略矩形状の皿枠ベース４０と、遊技機１からの賞品球を受ける第１球受け部材５０と、第１球受け部材５０から排出される遊技球を受ける第２球受け部材７０と、第１球受け部材５０及び第２球受け部材７０の前面の輪郭を形成する第１輪郭部材９０とから構成されている。
【００３０】
そして、第１球受け部材５０は皿枠ベース４０の前面に取り付けられる。更に第１輪郭部材９０は、第１球受け部材５０を覆うように皿枠ベース４０の前面に取り付けられる。また、第２球受け部材７０は、第１輪郭部材９０内において第１球受け部材５０の下方に形成された第２球受け取付領域９０ｂに取り付けられる。即ち、第１球受け部材５０，第２球受け部材７０及び第１輪郭部材９０は、これらが一体に移動可能となるように皿枠ベース４０に支持されている。
【００３１】
これらのうち、皿枠ベース４０には、遊技機１の正面から見て左側の端部に、皿枠開閉軸２５を嵌め込むための軸受け部４３が設けられている。即ち、皿枠ベース４０は、この軸受け部４３を介して皿枠開閉軸２５により回動可能に軸支されることにより、遊技盤収納枠５に対して開閉可能となっている。
【００３２】
また、皿枠ベース４０には、遊技盤７上に遊技球を発射する発射装置３１（図２参照）に、球受け部１３に貯留された遊技球を送り出す発射球送り口１０１と、遊技機１が賞品球を第１球受け部材５０に排出するための賞品球排出口１０３と、スピーカ２１から出力される音声を外部へ放出する放音口１０５が形成される。また、皿枠ベース４０の背面には、皿枠ベース４０が遊技盤収納枠５に対して開放されたときに、賞品球排出口１０３を閉鎖するシャッター機構４１が取り付けられている。
【００３３】
図４（ａ）は第１球受け部材５０の上面図、図４（ｂ）は第１球受け部材５０の側面図、図５（ａ）は第１球受け部材５０の正面図、図５（ｂ）は第１球受け部材５０の背面図である。
【００３４】
次に第１球受け部材５０は、図４及び図５に示すように、遊技球を貯留する球貯留部１２０と、球貯留部１２０に貯留された遊技球を抜き取る球抜き口１４１を開閉する開閉部１４０と、球抜き口１４１から排出された遊技球を第２球受け部材７０へ供給する球抜き通路１６０と、球貯留部１２０の底面と球抜き通路１６０とを連結することで球抜き通路１６０を補強する補強板１８０とから構成されている。
【００３５】
これらのうち、球貯留部１２０は、賞品球排出口１０３及び供給路１２５（後述）を通って排出された遊技球を受け入れて貯留する第１球受入領域１２１と、遊技機１の左側に配置された球貸し機の球供給口（不図示）から排出された遊技球を受け入れる第２球受入領域１２３と、第２球受入領域１２３で受け入れられた遊技球を第１球受入領域１２１へ供給する供給路１２５と、第１球受入領域１２１に貯留された遊技球を１列に整列させて発射球送り口１０１へ導く整列路１２７とから構成されている。
【００３６】
また、第１球受入領域１２１の底面を構成する底板１２１ａは、賞品球排出口１０３から球抜き口１４１に向けて下方に傾斜している（図４（ａ）の矢印Ｖ１参照）。また、供給路１２５の底面を構成する底板１２５ａは、第２球受入領域１２３から第１球受入領域１２１に向けて下方に傾斜している（図４（ａ）の矢印Ｖ２参照）。また、整列路１２７の底面を構成する底板１２７ａは、第１球受入領域１２１から球抜き口１４１に向けて下方に傾斜している（図４（ａ）の矢印Ｖ３参照）。
【００３７】
また、第１球受入領域１２１は、整列路１２７に向かうにつれて遊技球が通る幅が徐々に狭くなり、整列路１２７においては遊技球１個のみ通ることが可能な幅となる。
尚、底板１２１ａ，底板１２５ａ，球抜き通路１６０及び補強板１８０は、合成樹脂を素材に一体成型により形成されている。
【００３８】
このように構成された球貯留部１２０では、賞品球排出口１０３から排出された遊技球は、第１球受入領域１２１から整列路１２７に向かって転がり、整列路１２７において１列に整列させられる。また、球貸し機の球供給口から排出された遊技球は、第２球受入領域１２３から供給路１２５を通って第１球受入領域１２１に向かって転がり、更に整列路１２７において１列に整列させられる。こうして、発射球送り口１０１或いは球抜き口１４１に遊技球が１個ずつ供給される。
【００３９】
次に、開閉部１４０は、第１球受け部材５０に貯留された遊技球を抜き取る球抜き口１４１と、球抜き口１４１を開閉する球抜き機構１４３（図３参照）と、球抜き口１４１を開放するときに遊技者により押圧される球抜き押圧部材１４５（図３参照）とから構成されている。
【００４０】
図６は、球抜き機構１４３の開閉動作を説明するための、球抜き機構１４３及び球抜き押圧部材１４５の上面図である。
球抜き機構１４３は、球抜き機構１４３の構成要素を収納するケース部材２０１と、球抜き口１４１を開放する開放位置と球抜き口１４１を閉鎖する閉鎖位置との間を移動する開閉板２０３と、開閉板２０３が閉鎖位置に移動する方向（図６における左方向）に開閉板２０３を付勢する付勢バネ２０５と、前後方向（図６における上下方向）にのみ移動可能で、球抜き押圧部材１４５が押圧されると後方へ移動する移動部材２０７と、移動部材２０７の移動に応じて回動する扇形ギア２０９と、扇形ギア２０９と噛合して回動するギア２１１とから構成されている。
【００４１】
まず扇形ギア２０９において、この扇形の中心部は、ケース部材２０１に設けられた回動軸２０１ａによって回動可能に支持されており、更に扇形の弧部分にはギア２１１と噛合する歯（以降、弧部歯と称す）２０９ａが形成されている。
【００４２】
またギア２１１は、それぞれ直径が異なるギアである大径ギア２１１ａと小径ギア２１１ｂとから構成されている。そして、大径ギア２１１ａと小径ギア２１１ｂとは、ケース部材２０１に設けられた回動軸２０１ｂにより一体に回動可能に支持される。尚、小径ギア２１１ｂは弧部歯２０９ａと噛合するとともに、大径ギア２１１ａは、開閉板２０３のラック２０３ｂ（後述）と噛合する。
【００４３】
また開閉板２０３は、ケース部材２０１に設けられたガイド突起２０１ｃが内部に配置される移動孔２０３ａと、開閉板２０３の移動方向（図６における左右方向）に沿って歯が形成されているラック２０３ｂとを備えている。そして、上述したように、ラック２０３ｂは大径ギア２１１ａと噛合する。
【００４４】
このように構成された球抜き機構１４３では、球抜き押圧部材１４５が押圧されていない状態の時には、付勢バネ２０５の付勢力により開閉板２０３が閉鎖位置に移動することによって、球抜き口１４１が閉鎖される。このように球抜き口１４１が閉鎖された状態では、整列路１２７上の遊技球は１個ずつ発射球送り口１０１へ排出される。
【００４５】
一方、球抜き押圧部材１４５が押圧されると、移動部材２０７が後方（図６における上方向）に移動し（図６の矢印Ｖ１１参照）、扇形ギア２０９が回動軸２０１ａを中心にして、反時計回り方向（図６における反時計回り方向）に回動する（図６の矢印Ｖ１２参照）。
【００４６】
そして、小径ギア２１１ｂと弧部歯２０９ａとが噛合しているために、ギア２１１が時計回り方向（図６における時計回り方向）に回動する（図６の矢印Ｖ１３参照）。
更に、ラック２０３ｂと大径ギア２１１ａとが噛合しているために、開閉板２０３が開放位置（図６における右方向）に移動し（図６の矢印Ｖ１４参照）、球抜き口１４１が開放される。このように球抜き口１４１が開放された状態では、整列路１２７上の遊技球は１個ずつ球抜き口１４１へ排出される。
【００４７】
また図３に戻り、第１球受け部材５０において、第２球受入領域１２３の底面を構成する底板１２３ａの上方には、作業者が発射球送り口１０１を点検するときに開放される発射口点検開閉部材５５が配置されている。この発射口点検開閉部材５５の一端には回動軸５５ａが設けられており、この回動軸５５ａは第１球受け部材５０により回動可能に支持されている。即ち、発射口点検開閉部材５５は、第１球受け部材５０に対して上方に開閉可能に構成されている。このため、発射口点検開閉部材５５が開放されると、作業者は第１球受け部材５０の上方から発射球送り口１０１を視認することができる。
【００４８】
また図５に戻り、球抜き通路１６０は、皿枠ベース４０が遊技盤収納枠５に対して閉鎖された時に、球抜き口１４１から第２球受け部材７０に向けて下方に傾斜するように形成される。そして、球抜き通路１６０の側壁には、スピーカ２１から出力される音声を外部へ放出する放音口１６０ａが形成されている。尚、後に詳述するように、放音口１６０ａは、皿枠ベース４０が遊技盤収納枠５に対して閉鎖された時に、球抜き通路１６０がスピーカ２１の音声出力口２１ａの前面を横切っている部分に設けられている。
【００４９】
また補強板１８０には、球抜き通路１６０と同様に、スピーカ２１から出力される音声を外部へ放出する放音口１８０ａが形成されている。即ち、放音口１８０ａは、皿枠ベース４０が遊技盤収納枠５に対して閉鎖された時に、補強板１８０がスピーカ２１の音声出力口２１ａの前面を横切っている部分に設けられている。
【００５０】
図７は、第１輪郭部材９０の正面図，上面図，下面図，右側面図及び左側面図である。
次に第１輪郭部材９０には、図３及び図７に示すように、第１球受け部材５０を取り付ける第１球受け取付領域９０ａと、第１球受け取付領域９０ａの下方に設けられ、第２球受け部材７０を取り付ける第２球受け取付領域９０ｂと、第１球受け部材５０と第２球受け部材７０との間の輪郭を形成する第２輪郭部材９１を取り付ける輪郭部材取付領域９０ｃと、球抜き押圧部材１４５を取り付ける球抜き押圧部材取付領域９０ｄとが形成されている。
【００５１】
更に、第１輪郭部材９０には、球貸し機から遊技球を借りるときに遊技者が操作する球貸操作ユニット２５を取り付ける球貸操作ユニット取付領域９０ｅと、遊技中に遊技者が操作するチャンスボタンユニット２７を取り付けるチャンスボタン取付領域９０ｆと、灰皿２９を取り付ける灰皿取付領域９０ｇと、ハンドル１１を取り付けるハンドル取付領域９０ｈとが形成されている。
【００５２】
そして、各取付領域９０ａ〜９０ｈには、それぞれに対応した構成要素が取り付けられる（図３参照）。
また、図３に示すように、第２球受け部材７０には、第２球受け部材７０に貯留された遊技球を抜き取る球抜き口７０ａが形成されている。そして、第２球受け部材７０の下部には、遊技者の操作により球抜き口７０ａを開閉する下皿球抜き機構７１が取り付けられる。
【００５３】
図８（ａ）は第２輪郭部材９１の正面図、図８（ｂ）は第２輪郭部材９１の背面図、図８（ｃ）は第２輪郭部材９１の側面図である。
図８に示すように、第２輪郭部材９１には、その中央部に、スピーカ２１から出力される音声を外部へ放出する放音口９１ａが形成されている。また、その下部には、第１球受け部材５０から排出された遊技球を第２球受け部材７０に受け入れる球受入口９１ｂが形成されている。尚、図８（ｃ）に示すように、第２輪郭部材９１は、第１球受け部材５０の下部を覆うために、第２輪郭部材９１の上部から下部に向かって湾曲した形状で構成されている。
【００５４】
図９は、球抜き通路１６０，オーバーフロー通路２３０及びスピーカ２１の配置を示す概略図である。
遊技機１では、図９に示すように、皿枠ベース４０の裏側において、賞品球排出口１０３の近傍に、第１球受け部材５０から溢れ出た遊技球を排出する排出口２３１が形成されている。そして、この排出口２３１と球受入口９１ｂを連通するオーバーフロー通路２３０が形成されている。尚、オーバーフロー通路２３０は、スピーカ２１の音声出力口２１ａの前面を避けて配置されている。
【００５５】
また、球抜き通路１６０は、スピーカ２１の音声出力口２１ａの前面を横切って配置されている。更に、球抜き通路１６０の側壁において、音声出力口２１ａの前面を横切っている部分には放音口１６０ａが設けられている。
【００５６】
このように構成された本実施形態の遊技機１では、皿枠ベース４０が遊技機１に対して開閉されると、皿枠ベース４０の開閉に応じて、第１球受け部材５０，第２球受け部材７０及び第１輪郭部材９０が一体となって移動する。このため、第１球受け部材５０と第２球受け部材７０との間の位置で皿枠ベース４０を分割する必要がない。即ち、皿枠ベース４０において、第１球受け部材５０と第２球受け部材７０との間の位置に補強を施す必要がない。
【００５７】
このため、遊技機１における遊技に連動して音声を出力するスピーカ２１を皿枠ベース４０の投影面内に配置する際に、第１球受け部材５０と第２球受け部材７０との間にスピーカ２１を配置しても、上記の補強をされた部分が、スピーカ２１の音声出力口２１ａの前面を横切ることがないため、スピーカ音を遊技者に効率よく聞かせることができる。
【００５８】
また、第１球受け部材５０，第２球受け部材７０が一体となって開閉されるため、スピーカ２１を第１球受け部材５０と第２球受け部材７０との間に配置した場合において、スピーカ２１が故障した際にスピーカ２１を容易に取り出すことができる。
【００５９】
即ち、スピーカ２１を第１球受け部材５０と第２球受け部材７０との間にも配置することができる分、スピーカ配置の自由度を向上させることができる。更に、スピーカ配置の自由度が向上した分、第１輪郭部材９０のデザイン設計の自由度を向上させることができる。
【００６０】
また、球抜き通路１６０は、第１球受け部材５０と一体に合成樹脂で成型されている。即ち、上述したように、第１球受け部材５０と第２球受け部材７０とが一体となって移動するため、第１球受け部材５０と第２球受け部材７０の間での任意の箇所で球抜き通路１６０を分離する必要がない。このため、球抜き通路１６０内で通路のズレが生じることがない。従って、球抜き通路１６０内における球詰まりの発生を抑制することができる。
【００６１】
また、オーバーフロー通路２３０が音声出力口２１ａの前面を避けて配置されているため、遊技球がオーバーフロー通路２３０を通過する際に、オーバーフロー通路２３０の内壁に遊技球が衝突して発生する衝突音によって、音声出力口２１ａから出力される音声がかき消されることを抑制することができる。
【００６２】
また、球抜き通路１６０の側壁において、音声出力口２１ａの前面を横切っている部分には放音口１６０ａが形成されているため、音声出力口２１ａから出力される音声が球抜き通路１６０により遮られてしまうことを抑制することができる。
【００６３】
以上説明した実施形態において、球受け部１３は本発明における球皿、第１球受け部材５０は本発明における第１球受部、第２球受け部材７０は本発明における第２球受部、第１輪郭部材９０は本発明におけるカバー部、皿枠ベース４０は本発明における球受支持部、球抜き口１４１は本発明における球抜き口、球抜き通路１６０は本発明における球抜通路、オーバーフロー通路２３０は本発明における排出通路、放音口１６０ａは本発明における放音口である。
【００６４】
以上、本発明の一実施形態について説明したが、本発明は上記実施形態に限定されるものではなく、本発明の技術的範囲に属する限り種々の形態にて実施することが可能である。
【００６５】
例えば、上記実施形態では、第１球受け部材５０及び第１輪郭部材９０が皿枠ベース４０の前面に取り付けられるとともに、第２球受け部材７０は、第１輪郭部材９０内の第２球受け部材領域９０ｂに取り付けられるものを示したが、皿枠ベース４０の開閉に応じて、第１球受け部材５０，第２球受け部材７０及び第１輪郭部材９０が一体となって移動するものであれば、どのように取り付けてもよい。例えば、第２球受け部材７０も皿枠ベース４０の前面に取り付けるようにしてもよい。
【００６６】
また、上記実施形態では、遊技盤収納枠５にスピーカ２１を配置するものを示したが、第１球受け部１３ａと第２球受け部１３ｂとの間にスピーカを配置する方法としては、皿枠１３ｃ側にスピーカを配置するようにしても同様の効果を得ることができる。
【図面の簡単な説明】
【００６７】
【図１】遊技機１の正面図。
【図２】遊技盤収納枠５の斜視図。
【図３】球受け部１３の分解斜視図。
【図４】第１球受け部材５０の上面図及び側面図。
【図５】第１球受け部材５０の正面図及び背面図。
【図６】球抜き機構１４３の開閉動作を説明する図。
【図７】第１輪郭部材９０の正面図，上面図，下面図，右側面図及び左側面図。
【図８】第２輪郭部材９１の正面図，背面図及び側面図。
【図９】球抜き通路１６０，オーバーフロー通路２３０及びスピーカ２１の配置を示す概略図。
【図１０】パチンコ機３０１の正面図。
【符号の説明】
【００６８】
１…遊技機、３…外枠、５…遊技盤収納枠、５ａ…遊技盤収納領域、７…遊技盤、９…ガラス扉、１１…ハンドル、１３…球受け部、１３ａ…第１球受部、１３ｂ…第２球受部、１３ｃ…皿枠、２１…スピーカ、２１ａ…音声出力口、２３…スピーカカバー、２５…皿枠開閉軸、２７…チャンスボタンユニット、２９…灰皿、３１…発射装置、４０…皿枠ベース、４１…シャッター機構、４３…軸受け部、５０…第１球受け部材、５５…発射口点検開閉部材、５５ａ…回動軸、７０…第２球受け部材、７０ａ…球抜き口、７１…下皿球抜き機構、９０…第１輪郭部材、９０ａ…第１球受け取付領域、９０ｂ…第２球受け取付領域、９０ｃ…輪郭部材取付領域、９０ｄ…球抜き押圧部材取付領域、９０ｅ…球貸操作ユニット取付領域、９０ｆ…チャンスボタン取付領域、９０ｇ…灰皿取付領域、９０ｈ…ハンドル取付領域、９１…第２輪郭部材、９１ａ，１０５，１６０ａ，１８０ａ…放音口、９１ｂ…球受入口、１０１…発射球送り口、１０３…賞品球排出口、１２０…球貯留部、１２１…第１球受入領域、１２１ａ，１２３ａ，１２５ａ，１２７ａ…底板、１２３…第２球受入領域、１２５…供給路、１２７…整列路、１４０…開閉部、１４１…球抜き口、１４３…球抜き機構、１４５…球抜き押圧部材、１６０…球抜き通路、１８０…補強板、２０１…ケース部材、２０１ａ，２０１ｂ…回動軸、２０１ｃ…ガイド突起、２０３…開閉板、２０３ａ…移動孔、２０３ｂ…ラック、２０５…付勢バネ、２０７…移動部材、２０９…扇形ギア、２０９ａ…弧部歯、２１１…ギア、２１１ａ…大径ギア、２１１ｂ…小径ギア、２３０…オーバーフロー通路、２３１…排出口、３０１…パチンコ機、３１１…上受け皿、３１３…下受け皿、３２１…上皿枠、３１３…下皿枠。
【図１】
2006025927.tif 000003
【図２】
2006025927.tif 000004
【図３】
2006025927.tif 000005
【図４】
2006025927.tif 000006
【図５】
2006025927.tif 000007
【図６】
2006025927.tif 000008
【図７】
2006025927.tif 000009
【図８】
2006025927.tif 000010
【図９】
2006025927.tif 000011
【図１０】
2006025927.tif 000012